(57)【特許請求の範囲】
【請求項１】
回転子鉄心と、
前記回転子鉄心の外周部に周方向に所定の間隔を存して設けられ、それぞれ外周側が開口した形状の複数のスロットと、
前記各スロット内の奥側に挿入配置され、銅或いは銅合金の板或いは薄肉シートを複数枚重ね合わせて構成された銅バーと、
前記各スロット内の前記銅バーの外周側に充填されるようにアルミダイキャスト成形により設けられたアルミバーと、
前記アルミバーのアルミダイキャスト成形時に前記回転子鉄心の軸方向両端部に設けられ、前記各スロットの前記銅バー及び前記アルミバーを電気的に接続する短絡環と、を備え、
前記銅バーは、前記回転子鉄心の軸方向両端部から外側へ突出した端部が前記回転子鉄心の周方向に折曲げられていることを特徴とする回転子。
【請求項２】
前記スロットの外周側の開口に、この開口を塞ぐ磁性くさびが設けられていること特徴とする請求項１記載の回転子。
【請求項３】
前記回転子鉄心における前記スロットの開口側の一部が、前記スロットの開口を塞ぐように位置していることを特徴とする請求項１記載の回転子。
【請求項４】
前記回転子鉄心は複数枚の鋼板を積層して構成されていると共に、積層された前記鋼板が互いに周方向にずらされていて、前記銅バー及び前記アルミバーの延び方向が、前記回転子鉄心の軸方向に対して傾斜していることを特徴とする請求項１から３のいずれか一項記載の回転子。
【請求項５】
前記銅バーは、周方向に隣合う前記銅バーの端部同士が接触していることを特徴とする請求項１から４のいずれか一項記載の回転子。
【請求項６】
前記回転子鉄心の周方向に隣合う前記スロット間に、外周側が閉鎖した全閉スロットが形成され、
前記全閉スロット内全体に、前記アルミダイキャスト成形により第２のアルミバーが設けられていることを特徴とする請求項１から５のいずれか一項記載の回転子。
【請求項７】
請求項４記載の回転子を製造する方法において、
前記回転子鉄心の前記各スロット内に前記銅バーを挿入した後、前記回転子鉄心にこれの周方向にねじり回転を加えて積層された前記鋼板を互いに周方向にずらすことにより、前記銅バーの延び方向を前記回転子鉄心の軸方向に対して傾斜させ、その後にアルミダイキャスト成形により前記アルミバーと前記短絡環とを設けるようにしたことを特徴とする回転子の製造方法。
【発明の詳細な説明】
【技術分野】
【０００１】
本発明は、バー及び短絡環を具備した回転子及びその製造方法に関する。
【背景技術】
【０００２】
一般に、ポンプやファンの駆動源には、かご形誘導電動機が使用されている。このかご形誘導電動機の回転子に設けられている多数のバーと短絡環は、低コストで生産性に優れるアルミダイキャストで成形されている。
【０００３】
近年、かご形誘導電動機の回転効率を高めるために、バー及び短絡環をアルミニウムよりも導電性に優れる銅を用いた回転子が考えられている。例えば、かごを、銅系のバーと銅系の短絡環とを溶接等で組合せて構成したり、銅ダイキャストでバーと短絡環とを一体に成形したりすることが考えられている。しかしながら、前者は、組立ての作業効率が悪く、又、後者は、銅を溶かすために、非常に高い温度、例えば１０００度以上に加熱する必要があり生産性が悪い。更に、銅ダイキャスト時には、回転子を構成する回転子鉄心がこの高い熱で歪んでしまうおそれがあるため実用的でないといった問題がある。そのため、かご全体を溶接或いは銅ダイキャストによって成形するのではなく、かごの一部に銅系の材料を用い、銅とアルミニウムの特性を組合せてなるかごを備えた回転子が考えられている。
【０００４】
例えば、回転子鉄心の外周部に全閉形のスロットを形成し、このスロットに銅系の棒材（銅バー）を軸方向から挿入し、その後、このスロットにアルミニウム系溶融金属を回転子鉄心の軸方向の片側或いは両側から注湯して、銅バーをアルミニウム系溶融金属で包むと共に、回転子鉄心の軸方向両端部にアルミニウム系溶融金属からなる短絡環を成形する構成の回転子が考えられている（例えば、特許文献１参照）。
【特許文献１】特開平７−１６３１０７号公報
【発明の開示】
【発明が解決しようとする課題】
【０００５】
しかしながら、軸方向が長い回転子鉄心を備えた回転子を上記構成で製作しようとすると、回転子鉄心の軸方向が長いために、スロット内を流れるアルミニウム系溶融金属の流れの抵抗は増し、注湯が片側からされているときは注湯がされていない側の銅バーの端部に、注湯が両側からされるときは銅バーの中央部に、十分な量のアルミニウム系溶融金属を供給することができず、所定形状のアルミバーが形成されず、所定の回転効率を得ることができなくなるおそれがある。
【０００６】
本発明は、スロット内に銅バーとアルミバーを備えたものを良好に製造することができる回転子を提供することを目的としており、更にトルクムラを低減することができる回転子及びその製造方法を提供することを目的としている。
【課題を解決するための手段】
【０００７】
本発明の請求項１の回転子は、回転子鉄心と、前記回転子鉄心の外周部に周方向に所定の間隔を存して設けられ、それぞれ外周側が開口した形状の複数のスロットと、前記各スロット内の奥側に挿入配置され、銅或いは銅合金の板或いは薄肉シートを複数枚重ね合わせて構成された銅バーと、前記各スロット内の前記銅バーの外周側に充填されるようにアルミダイキャスト成形により設けられたアルミバーと、前記アルミバーのアルミダイキャスト成形時に前記回転子鉄心の軸方向両端部に設けられ、前記各スロットの前記銅バー及び前記アルミバーを電気的に接続する短絡環と、を備え、前記銅バーは、前記回転子鉄心の軸方向両端部から外側へ突出した端部が前記回転子鉄心の周方向に折曲げられていることを特徴としている。
【０００８】
本発明の請求項４の回転子は、前記回転子鉄心が複数枚の鋼板を積層して構成されていると共に、積層された前記鋼板が互いに周方向にずらされていて、前記銅バー及び前記アルミバーの延び方向が、前記回転子鉄心の軸方向に対して傾斜していることを特徴としている。
【０００９】
本発明の請求項７の回転子の製造方法は、請求項４記載の回転子を製造する方法において、前記回転子鉄心の前記各スロット内に前記銅バーを挿入した後、前記回転子鉄心にこれの周方向にねじり回転を加えて積層された前記鋼板を互いに周方向にずらすことにより、前記銅バーの延び方向を前記回転子鉄心の軸方向に対して傾斜させ、その後にアルミダイキャスト成形により前記アルミバーと前記短絡環とを設けるようにしたことを特徴としている。
【発明の効果】
【００１０】
本発明の請求項１の回転子によれば、外周側が開口した形状の複数のスロットの奥側に銅バーが挿入配置され、その銅バーの外周側にアルミダイキャスト成形によりアルミバーが設けられた、いわゆる二重かご形の回転子を構成することができる。この回転子は、電流が始動時には主として回転子鉄心の外周側に位置するアルミバーに流れ、定格回転数の運転時（連続運転時）には主として低抵抗の銅バーに流れる構成となる。これにより、始動時には高抵抗のアルミバーに電流が集中することにより大きな始動トルクが得られ、又、定格回転数の運転時には低抵抗の銅バーに電流が流れることにより低損失となる回転子を得ることができる。
【００１１】
そして、この回転子は、アルミダイキャスト成形時において、アルミバーを成形するためのアルミニウム系溶融金属を、回転子鉄心の軸方向側だけでなく、回転子鉄心のスロットの外周側の開口した部分からもスロット内に供給することが可能である。この場合、アルミニウム系溶融金属をスロットの開口部分から供給することができるので、銅バーをスロットの奥側に、アルミバーを銅バーの外周側に容易に配置することができる。これにより、アルミニウム系溶融金属を回転子鉄心の軸方向側からのみ供給する構成に比べて、スロット内に供給されるアルミニウム系溶融金属をスロット全体にムラなく供給することができ、スロット内に銅バー及びアルミバーを備えた回転子を良好に製造することができる。
【００１２】
本発明の請求項４の回転子は、銅バー及びアルミバーの延び方向が、回転子鉄心の軸方向に対して傾斜された形状であるので、トルクムラを低減することができて、回転子の回転を滑らかにすることができる。
【００１３】
本発明の請求項７の回転子の製造方法によれば、回転子鉄心の各スロット内に銅バーを挿入した後に、回転子鉄心にこれの周方向にねじり回転を加えて積層された前記鋼板を互いに周方向にずらすことにより、銅バーの延び方向を回転子鉄心の軸方向に対して傾斜させることができる。そして、アルミダイキャスト成形により、スロット内にアルミバーを形成することにより、アルミバーの延び方向も、銅バーと同様に回転子鉄心の軸方向に対して傾斜させることができる。よって、銅バー及びアルミバーの延び方向を回転子鉄心の軸方向に対して傾斜させることが簡単にできる。
【発明を実施するための最良の形態】
【００１４】
以下、本発明を、かご形誘導電動機の回転子に適用した第１の実施形態を、図１乃至図６を参照して説明する。
図２には、本実施形態に係る二重かご形誘導電動機１の固定子２と、この固定子２の内周側に位置する回転子３の概略構成が示されている。
【００１５】
固定子２は、固定子鉄心４に、複数のコイル５が着装されて構成されている。固定子鉄心４は、珪素鋼板からなる円環状の鋼板を複数枚積層して円筒形状に構成され、図示しないリベット等で積層方向が一体に結着されている。又、固定子鉄心４の内周面には、コイル５を収納するためのスロット６が複数形成されている。
【００１６】
回転子３は、図３に示すように、珪素鋼板からなる円環状の鋼板を複数枚積層して構成された回転子鉄心７と、回転子鉄心７の軸方向両端部に設けられた円環状の短絡環８，８と、回転子鉄心７の中央部を貫通する回転軸９とを備えている。
【００１７】
回転子鉄心７は、図１にも示すように、外周部に周方向に所定の間隔を存して複数、この場合２４箇所、スロット１１が形成されている。各スロット１１は、回転子鉄心７（回転軸９）の軸方向に対して平行に延びており、且つ、スロット１１において回転子鉄心７の外周側が開口した開口部１１ａが形成されている。
【００１８】
各スロット１１内の奥側（回転子鉄心７の内周側）には、銅或いは銅合金からなる銅バー１２が挿入配置されている。銅バー１２は、図４に示すように、回転子鉄心７の軸方向に対して平行に延びる銅板或いは銅（銅合金）製薄肉シートを複数枚重ね合わせて構成されている。尚、図４は、銅バー１２の端部１２ａ（片側の端部のみ図示）の形状を説明するために、回転子鉄心７と銅バー１２のみを示した図である。この場合６枚の銅板を用いており、この６枚の銅板を、回転子鉄心７の周方向側に重ね合わせて銅バー１２が構成されている。又、銅バー１２の端部１２ａは、回転子鉄心７の軸方向両端部７ａから外側へ突出しており、銅バー１２の端部１２ａのうちの、重ね合わせた銅板の半分、この場合３枚の銅板の端部１２ａが回転子鉄心７の周方向の一方向側（例えば、時計回り方向側）に折曲げられ、残りの半分（この場合３枚）の銅板の端部１２ａが回転子鉄心７の周方向の他方側（例えば、反時計回り方向側）に折曲げられ、回転子鉄心７の周方向に隣合う銅バー１２の端部１２ａ同士が接触した構成になっている。
【００１９】
図1に示すように、各スロット１１内の銅バー１２の外周側には、アルミニウムからなり、回転子鉄心７の軸方向に対して平行に延びる棒状をなしたアルミバー１３が設けられている。アルミバー１３の両端部は、後述するように短絡環８，８に一体に成形されている。
【００２０】
短絡環８は、アルミニウムからなり、図３に示すように、短絡環８の軸方向外側の面には軸方向外側へ突出する複数の冷却フィン１４が一体に成形されている。
このような構成の回転子３において、短絡環８、アルミバー１３及び冷却フィン１４は、アルミダイキャスト成形により一体に成形されている。
【００２１】
図５には、上記アルミダイキャスト成形に用いる金型１５が示されている。金型１５は、金型１５内に回転子鉄心７を収容する空間を有し、回転子鉄心７の軸方向側に型開きするプレート１６，１６を備えた構成である。このプレート１６には、回転子鉄心７に短絡環８及び冷却フィン１４を成形するキャビティ（空洞）１７が形成されている。又、プレート１６には、図示しないアルミニウム系溶融金属を金型１５の外部からキャビティ１７に送るランナー（流路）１８，１９が形成されている。
【００２２】
ランナー１８の先端のゲート（小孔）２０は、短絡環８に対応するキャビティ１７において、短絡環を成形するための部分１７ａに臨んでいる。一方、ランナー１９のゲート２１は、回転子鉄心７のスロット１１の外周側、具体的には、スロット１１の開口部１１ａに対応する部分に臨んでいる。尚、図示はしないが、ランナー１９は、回転子鉄心７の各スロット１１の開口部１１ａに対応するように、２４箇所形成されている。又、図５では、一方のプレート１６のみにランナー１９を示しているが、他方のプレート１６側にもランナー１９を形成しても良い。
【００２３】
次に、回転子３の製造手順について図１、図４乃至図６を参照して説明する。
まず、銅バー１２を構成する銅板の一方の端部１２ａを折曲げ、この銅バー１２を、回転子鉄心７の各スロット１１に、図６（ａ）に示すように、回転子鉄心７の外周側から挿入する。この場合、各スロット１１に、６枚の銅板からのうち、例えば半分の３枚ずつ２回に分けて挿入する。このときに、銅バー１２の折曲げられた端部１２ａを、図４に示すように、回転子鉄心７の周方向に折曲げられたように配置し、又、図６（ｂ）に示すように、銅バー１２を各スロット１１内の奥側に配置する。更に回転子鉄心７の他方の端部７ａから突出した銅バー１２の他方の端部１２ａも、図４に示した状態になるように、回転子鉄心７の周方向に折曲げる。これにより、銅バー１２の位置ずれが防止される。尚、銅バー１２を構成する銅板同士がバラつかないように、スロット１１の挿入前に、３枚ずつを接着剤等で銅板同士を接着しておいても良い。
【００２４】
次に、図５に示すように、銅バー１２が取付けられた回転子鉄心７を金型１５の所定の位置に載置し、アルミニウム系溶融金属、この場合、溶融したアルミニウムを金型１５のランナー１８，１９からキャビティ１７へ供給、充填してアルミダイキャスト成形を行う。このとき、ランナー１８から供給されたアルミニウム系溶融金属は、主に短絡環８及び冷却フィン１４を成形する。
【００２５】
又、ランナー１９から供給されたアルミニウム系溶融金属は、主に回転子鉄心７のスロット１１内に流れ込み、図１及び図６（ｃ）に示すように、アルミバー１３が成形される。この場合、アルミニウム系溶融金属がスロット１１の開口部１１ａから供給されるので、銅バー１２はスロット１１の奥側に押込まれ、奥側の所定の位置に配置される。これにより、スロット１１内の銅バー１２の外周側に十分な空間が生じ、この空間にアルミニウム系溶融金属が供給、充填されることにより、所定形状のアルミバー１３が成形される。
【００２６】
このようなアルミダイキャスト成形により、短絡環８と各スロット１１内のアルミバー１３とが一体に成形され、これにより、各スロット１１内の銅バー１２及びアルミバー１３が短絡環８により強固に結合されると共に、電気的にも接続された状態になる。
【００２７】
上記アルミダイキャスト成形後、金型１５の型開きが行われて、短絡環８、銅バー１２、アルミバー１３及び冷却フィン１４が成形された回転子鉄心７の取外しが行われる。回転子鉄心７を取外した後、この回転子鉄心７に回転軸９を挿入、固着して、回転子３の製造が完了する。
【００２８】
上記構成によれば、回転子鉄心７外周側が開口した形状の各スロット１１の奥側に銅バー１２が挿入配置され、その銅バー１２の外周側にアルミダイキャスト成形によりアルミバー１３が設けられた二重かご形の回転子３を得ることができる。
【００２９】
この回転子３は、電流が始動時には主として回転子鉄心７の外周側に位置するアルミバー１３に流れ、定格回転数の運転時（連続運転時）には主として低抵抗の銅バー１２に流れる構成となる。これにより、始動時には高抵抗のアルミバー１３に電流が集中することにより大きな始動トルクが得られ、又、定格回転数の運転時には低抵抗の銅バー１２に電流が流れることにより低損失となる回転子３を得ることができる。
【００３０】
そして、この回転子３は、アルミダイキャスト成形時において、アルミバー１３を成形するためのアルミニウム系溶融金属（この場合アルミニウム）を、回転子鉄心７の軸方向側だけでなく、回転子鉄心７のスロット１１の外周側の開口部１１ａからもスロット１１内に供給することが可能である。この場合、アルミニウム系溶融金属をスロット１１の開口部１１ａから供給、充填することができるので、銅バー１２をスロット１１の奥側に、アルミバー１３を銅バー１２の外周側に容易に配置することができる。これにより、アルミニウム系溶融金属を回転子鉄心７の軸方向側からのみ供給、充填する構成に比べて、スロット１１内に供給されるアルミニウム系溶融金属をスロット１１全体にムラなく供給、充填することができ、スロット１１内に銅バー１２及びアルミバー１３を備えた回転子３を良好に製造することができる。
【００３１】
更に、アルミダイキャスト成形時において、このアルミニウム系溶融金属が回転子鉄心７のスロット１１の外周側の開口部１１ａからも供給される構成であるので、銅バー１２の挿入配置が不十分であっても、銅バー１２をスロット１１の所定の位置（スロット１１の奥側）に配置させることができ、これにより、スロット１１の残りの空間に成形されるアルミバー１３も、所定形状にすることができる。
【００３２】
又、銅バー１２にあって回転子鉄心７の軸方向両端部７ａ，７ａから外側へ突出した端部１２ａ，１２ａが回転子鉄心７の周方向に折曲げられ、周方向に隣合う銅バー１２の端部１２ａ同士が接触した構成であるので、定格回転数の運転時の電流は、低抵抗の銅バー１２を流れることができ、これにより、短絡環８の断面積、即ち、短絡環８を小さくすることができる。
【００３３】
更に、短絡環８の内部に銅バー１２の端部１２ａが位置する構成であるので、このアルミニウム系溶融金属が固化すると、銅バー１２と短絡環８とが強固に結合され、銅バー１２が所定の位置から外れてしまうことを防止することができる。
【００３４】
アルミダイキャスト成形前に、銅バー１２の端部１２ａが回転子鉄心７の周方向に折曲げられているので、特に銅バー１２の軸方向の位置ずれを防止でき、アルミダイキャスト成形時に、銅バー１２が回転子鉄心７の所定の位置からずれてしまうことを防止することができる。
【００３５】
次に、本発明の第２の実施形態を図７及び図８を参照して説明する。尚、上記第１の実施形態と同一部分には同一符号を付し、その詳細な説明は省略する。
第２の実施形態は、図７に示すように、銅バー１２の外周側に設けられたアルミバー１３の更に外周側に位置して、回転子鉄心７のスロット１１の開口部１１ａを塞ぐ磁性くさび３１が設けられた構成である。磁性くさび３１は、珪素鋼板或いは純鉄からなるものであって、回転子鉄心７の軸方向に延びる棒状をなしている。尚、磁性くさび３１を、鉄粉等の磁性材料とエポキシ樹脂等の樹脂とを混練して形成させても良い。
【００３６】
この磁性くさび３１の取付け方法を図８を参照して説明する。
まず、図８（ａ）に示すように、第１の実施形態と同様にして、銅バー１２を各スロット１１内の奥側に配置する。
次に、図８（ｂ）に示すように、銅バー１２の外周側にアルミダイキャスト成形によりアルミバー１３を成形する。
【００３７】
アルミバー１３が成形された後、図８（ｃ）に示すように、磁性くさび３１を回転子鉄心７のスロット１１の外周部に、かなづち等（図示せず）により打ち込んで設ける。すると、アルミバー１３が磁性くさび３１によって回転子鉄心７の内周側に押込まれて、アルミバー１３内に生じていた空間、例えば巣やクラックにより生じていた空間が、減少する。
【００３８】
上記構成によれば、磁性くさび３１が回転子鉄心７に設けられることにより、磁性くさび３１が回転子鉄心７の一部として機能し、全閉形のスロットを有した構成の回転子と同等の作用効果を奏する回転子３を得ることができる。
又、アルミバー１３内に、巣やクラックによる空間が生じていた場合に、磁性くさび３１をスロット１１の開口部１１ａに設けることにより、このアルミバー１３内の空間を減少させることができ、緻密なアルミバー１３を得ることができると共に銅バー１２の固定の強度も増し、もって、強固且つ所定の回転効率を発揮する回転子３を得ることができる。
【００３９】
次に、本発明の第３の実施形態を図９及び図１０を参照して説明する。尚、上記第２の実施形態と同一部分には同一符号を付し、その詳細な説明は省略する。
第３の実施形態は、第２の実施形態の磁性くさび３１の代わりに、図９に示すように、回転子鉄心４１の外周部に、各スロット１１の外周側に位置させて一対の延出部４２が設けられた構成である。各延出部４２は、回転子鉄心４１におけるスロット１１の開口部１１ａ側の一部が、スロット１１の開口を塞ぐ形状をなしている。具体的には、この延出部４２は、スロット１１の開口部１１ａの周方向の両側に位置する回転子鉄心４１の一部からそれぞれ周方向へ突出した形状であり、延出部４２の先端部同士がスロット１１の開口部１１ａの中央で、ほぼ接するように形成されている。尚、延出部４２の先端部は、回転子鉄心４１の外周面から外側へは突出しない位置に位置している。
【００４０】
延出部４２が形成された回転子鉄心４１を用いた回転子３の製造方法について、図１０を参照して説明する。
まず、図１０（ａ）に示すように、回転子鉄心４１の外周部に延出部４２が形成されるように磁性鋼板を打抜き、得られた鋼板を積層して回転子鉄心４１を得る。
【００４１】
次に、図１０（ｂ）に示すように、回転子鉄心４１の各延出部４２の先端部を、回転子鉄心４１の外周面よりも外側に位置させて延出部４２の先端間を広げる。これにより、銅バー１２の挿入配置及び回転子鉄心４１の外周側からのアルミニウム系溶融金属の供給が可能になる。
【００４２】
次に、図１０（ｃ）に示すように、銅バー１２を各スロット１１内の奥側に配置させた後、アルミダイキャスト成形を行い、アルミバー１３を成形する。この場合、アルミバー１３の外周側の側面は、回転子鉄心４１の外周面と面一にならなくて、多少膨らんでいても良い。
【００４３】
そして、アルミダイキャスト成形後、図１０（ｄ）に示すように、回転子鉄心４１の各延出部４２を、ポンチ等（図示せず）により、回転子鉄心７の外周面よりも内側若しくはその外周面と同じ位置になるように折曲げる。すると、アルミバー１３は回転子鉄心７の内周側に押込まれ、アルミバー１３内に生じていた巣やクラックによる空間が減少する。
【００４４】
上記構成によれば、回転子鉄心４１に延出部４２を設けて、スロット１１の開口部１１ａを塞ぐように位置させることにより、第２の実施形態と同等の作用効果を得ることができる。
又、延出部４２は、回転子鉄心４１に一体に形成されているので、部品点数を減らすことができる。
【００４５】
次に、本発明の第４の実施形態を図１１を参照して説明する。尚、上記第１の実施形態と同一部分には同一符号を付し、その詳細な説明は省略する。
第４の実施形態は、図１１に示すように、回転子５１を構成する回転子鉄心５２及び銅バー５３の形状が、第１の実施形態の回転子３の回転子鉄心７及び銅バー１２の形状と異なる（図４参照）。
【００４６】
第４の実施形態の回転子鉄心５２は、積層された鋼板が互いに周方向にずらされていて、銅バー５３の延び方向が、回転子鉄心５２の軸方向に対して傾斜された状態になっている。又、図示はしないが、積層された鋼板が互いに周方向にずらされていることにより、アルミダイキャスト成形で設けられるアルミバーも、アルミバーの延び方向が、前記回転子鉄心の軸方向に対して傾斜された状態になっている。
【００４７】
この回転子５１の製造方法について説明する。
まず、第１の実施形態と同様に、回転子鉄心５２の各スロット１１内に銅バー５３を挿入した後、回転子鉄心５２にこれの周方向にねじり回転を加える。例えば、回転子鉄心５２の一方の端部側を時計回り方向（図１１中、矢印Ａ方向で示す）に回転を加えると共に、回転子鉄心５２の他方の端部を反時計回り（図１１中、矢印Ｂ方向で示す）に回転を加えて、積層された鋼板を互いに周方向にねじってずらす。すると、スロット１１の回転子鉄心５２の軸方向が、回転子鉄心５２の軸方向に対して傾斜されると共に、銅バー５３の延び方向が回転子鉄心５２の軸方向に対して傾斜される。
【００４８】
その後、アルミダイキャスト成形によりアルミバーと短絡環８とを成形すると、アルミバーの延び方向も、銅バー５３と同様に回転子鉄心５２の軸方向に対して傾斜された状態になる。これにより、銅バー５３及びアルミバーの延び方向が、回転子鉄心５２の軸方向に対して傾斜された回転子５１が得られる。
【００４９】
上記構成によれば、回転子鉄心５２の各スロット１１内に銅バー５３を挿入した後に、回転子鉄心５２にこれの周方向にねじり回転を加えて積層された鋼板を互いに周方向にずらすことにより、銅バー５３及びアルミバーの延び方向を回転子鉄心５２の軸方向に対して傾斜させることが簡単にできる。そして、銅バー５３及びアルミバーの延び方向が、回転子鉄心５２の軸方向に対して傾斜された形状であるので、回転子５１の回転時におけるトルクムラを低減することができて、回転子５１の回転を滑らかにすることができる。
【００５０】
銅バー５３を挿入した後に、回転子鉄心５２にねじり回転を加えることにより、積層された鋼板の一部、具体的にはスロット１１を形成している壁面が銅バー５３に食い込むので、銅バー５３が所定の位置からずれてしまうことを防止することができる。
【００５１】
次に、本発明の第５の実施形態を図１２を参照して説明する。尚、上記第１の実施形態と同一部分には同一符号を付し、その詳細な説明は省略する。
第５の実施形態は、図１２に示すように、回転子６１を構成する回転子鉄心６２の形状が、第１の実施形態の回転子３の回転子鉄心７と異なる（図１参照）。
【００５２】
この回転子鉄心６２の周方向に隣合うスロット１１間に、外周側が閉鎖した全閉スロット６３が形成されている。この場合、回転子鉄心６２の周方向に隣合うスロット１１間に、２個の全閉スロット６３が等間隔に設けられている。尚、銅バー１２の周方向のピッチは、１極で１個以上存するように配置することが好ましい。これは、１極で磁束の流れが対称的に変化するためであり、１極で１箇以上銅バー１２が存在しないと十分な回転効率を得ることができない場合があるためである。
【００５３】
前記全閉スロット６３内には、アルミダイキャスト成形により第２のアルミバー６４が設けられている。この第２のアルミバー６４は、全閉スロット６３全体に設けられている。
【００５４】
この回転子６１の製造方法について説明する。
まず、スロット１１，６３が形成された回転子鉄心６２のうちのスロット１１内に銅バー５３を挿入し、且つ全閉スロット６３内に銅バーを挿入しない状態で、アルミダイキャスト成形を行う。このアルミダイキャスト成形において、金型１５内に供給されたアルミニウム系溶融金属は、スロット１１、全閉スロット６３、短絡環８のキャビティ１７に流れ込み、（第１の）アルミバー１３と第２のアルミバー６４と、短絡環８とが成形される。このとき、アルミニウム系溶融金属の全閉スロット６３内への供給は、回転子鉄心６２の軸方向から流れ込むことによってのみ行われる。
【００５５】
これにより、第２のアルミバー６４を有した回転子６１が得られる。
上記構成によれば、銅バー１２の数よりも多いアルミバー１３，６４が設けられた回転子６１を得ることができる。この構成の回転子６１は、始動特性に優れるアルミバー１３，６４が多いので、起動停止が頻繁に行われる（始動特性が重視される）かご形誘導電動機に適用することができる。
【００５６】
尚、本発明は上記し且つ図面に示す実施形態に限定されず、次のような変形、拡張が可能である。
第１の実施形態において、端部１２ａが折曲げられていない銅バー１２を用い、回転子鉄心７のスロット１１に回転子鉄心７の軸方向或いは外周方向から挿入した後に、銅バー１２の両端部１２ａを周方向へそれぞれ折曲げても良い。又は、予め両端部１２ａ，１２ａが折曲げられた銅バー１２を、回転子鉄心７の外周方向から挿入しても良い。或いは、端部１２ａが折曲げられていない銅バー１２をスロット１１内に挿入配置した後、銅バー１２の重ね合わせた銅板間にくさびを打込んだりして、銅バー１２がスロット１１内で所定の位置からずれてしまうことを防止しても良い。
【００５７】
第１の実施形態の回転子３は、回転子鉄心７に回転軸９を取付けた後、アルミダイキャスト成形を行って短絡環８を成形しても良い。
その他、上記した構成部品の数、寸法及び材料等について、適宜変更することができる。
【図面の簡単な説明】
【００５８】
【図１】本発明の第１の実施形態の回転子における回転子鉄心の外周部の拡大断面図
【図２】電動機の断面図
【図３】一部を破断して示す回転子の斜視図
【図４】銅バーの端部の形状を示す斜視図
【図５】アルミダイキャスト成形用の金型の断面図
【図６】銅バーとアルミバーの製造方法を示す図で、（ａ）は銅バーがスロット内に挿入配置される前の状態を示す図、（ｂ）は銅バーがスロット内に挿入配置された状態を示す図、（ｃ）はアルミバーが成形された状態を示す図
【図７】本発明の第２の実施形態を示す図１相当図
【図８】銅バーとアルミバーの製造方法を示す図で、（ａ）は銅バーがスロット内に挿入配置された状態を示す図、（ｂ）はアルミバーが成形された状態を示す図、（ｃ）はスロットの開口部に磁性くさびが設けられた状態を示す図
【図９】本発明の第３の実施形態示す図１相当図
【図１０】銅バーとアルミバーの製造方法を示す図で、（ａ）は銅バーがスロット内に挿入配置される前の延出部が閉じた状態を示す図、（ｂ）銅バーがスロット内に挿入配置される前の延出部が開いた状態を示す図、（ｃ）は銅バーがスロット内に挿入配置され、アルミバーが成形された状態を示す図、（ｄ）は（ｃ）の状態から延出部を閉じた状態を示す図
【図１１】本発明の第４の実施形態を示す図４相当図
【図１２】本発明の第５の実施形態を示す図１相当図
【符号の説明】
【００５９】
図面中、３は回転子、７は回転子鉄心、７ａは端部、８は短絡環、１１はスロット、１１ａは開口部、１２は銅バー、１２ａは端部、１３はアルミバー、３１は磁性くさび、４１は回転子鉄心、５１は回転子、５２は回転子鉄心、５２ａは端部、５３は銅バー、６１は回転子、６２は回転子鉄心、６３はスロット、６４は第２のアルミバーを示す。
【図１】
0005313552.tif 000002
【図２】
0005313552.tif 000003
【図３】
0005313552.tif 000004
【図４】
0005313552.tif 000005
【図５】
0005313552.tif 000006
【図６】
0005313552.tif 000007
【図７】
0005313552.tif 000008
【図８】
0005313552.tif 000009
【図９】
0005313552.tif 000010
【図１０】
0005313552.tif 000011
【図１１】
0005313552.tif 000012
【図１２】
0005313552.tif 000013